(57)【要約】【課題】帰還した救急隊員を容易かつ確実に消毒して、二次感染の拡大を防止する帰還救急隊員消毒装置を提供する。【解決手段】帰還した救急隊員が入室する密封可能な消毒室１と、消毒室１にオゾンガスを供給するオゾン発生手段２と、救急隊員の滞在時間と消毒室１内のオゾン濃度の積であるＣＴ値を演算可能なＣＴ値演算手段３と、を備え、さらに、ＣＴ値が所定のＣＴ規定値となったことを救急隊員に伝達する消毒完了伝達手段４を具備する。【選択図】図１
2010279429.tif 000002
【特許請求の範囲】
【請求項１】
帰還した救急隊員が入室する密封可能な消毒室（１）と、該消毒室（１）にオゾンガスを供給するオゾン発生手段（２）と、上記救急隊員の滞在時間と上記消毒室（１）内のオゾン濃度の積であるＣＴ値を演算可能なＣＴ値演算手段（３）と、を備え、
さらに、上記ＣＴ値が所定のＣＴ規定値となったことを上記救急隊員に伝達する消毒完了伝達手段（４）を具備することを特徴とする帰還救急隊員消毒装置。
【請求項２】
帰還した救急隊員が入室する密封可能な消毒室（１）と、該消毒室（１）にオゾンガスを供給するオゾン発生手段（２）と、上記救急隊員の滞在時間と上記消毒室（１）内のオゾン濃度の積であるＣＴ値を演算可能なＣＴ値演算手段（３）と、を備え、
さらに、上記ＣＴ値が所定のＣＴ規定値となるまで、上記消毒室（１）の出口扉（50）をロック状態にする出口規制手段（５）を具備することを特徴とする帰還救急隊員消毒装置。
【請求項３】
上記消毒室（１）内に、オゾン水で手に装着した手袋の洗浄が可能な手洗い手段（11）と、オゾン水で靴底の洗浄が可能な足洗い手段（12）と、を設け、
さらに、上記手洗い手段（11）が所定時間作動したか否かを検知する手洗い確認手段（13）と、上記足洗い手段（12）が所定時間作動したか否かを検知する足洗い確認手段（14）と、を備えた請求項１又は２記載の帰還救急隊員消毒装置。
【請求項４】
上記手洗い手段（11）の作動が確認され、かつ、上記足洗い手段（12）の作動が確認され、さらに、上記ＣＴ値が上記ＣＴ規定値の場合に、上記オゾン発生手段（２）から上記消毒室（１）へのオゾンガスの供給を終了するように構成した請求項３記載の帰還救急隊員消毒装置。
【請求項５】
上記オゾン発生手段（２）を、着脱自在かつ持ち運び可能に設けた請求項１，２，３又は４記載の帰還救急隊員消毒装置。
【請求項６】
上記救急隊員が出動したことを検知する出動検知手段（21）を設け、
上記救急隊員が出動した場合に、該救急隊員の帰還前に、上記消毒室（１）内にオゾンガスを供給して、上記消毒室（１）内のオゾンガス濃度を規定濃度とするように構成した請求項１，２，３，４又は５記載の帰還救急隊員消毒装置。
【発明の詳細な説明】
【技術分野】
【０００１】
本発明は、帰還救急隊員消毒装置に関する。
【背景技術】
【０００２】
感染力の強い新型インフルエンザ等のウイルスや結核菌等の微生物に感染した要救護者を、救護・搬送する救急隊員は、二次感染防止のために防護服（特許文献１参照）を着用して出動し、帰還後に、防護服を廃棄処分又は消毒液噴霧式の消毒装置（特許文献２参照）で消毒することで二次感染の拡大を予防していた。
【先行技術文献】
【特許文献】
【０００３】
【特許文献１】特開２００５―２５４５号公報
【特許文献２】実開平７−４４９１４号公報
【発明の概要】
【発明が解決しようとする課題】
【０００４】
しかし、感染力の強いウイルスや微生物等の病原体が付着した虞れのある防護服を脱ぐときに、救急隊員自身が感染する虞れや、脱衣所等で病原体を拡散させる虞れがあった。
また、防護服脱衣前に全身、又は、脱衣後の室内を消毒するとしても、確実に消毒ができたか否かの判断が容易でなく定量化が困難であるため、消毒ができているにも関わらず、念入りに消毒を行う必要があり、多大な時間と労力を費やしてしまうという問題があった。
【０００５】
そこで、本発明は、帰還した救急隊員を容易かつ確実に消毒して、二次感染の拡大を防止する帰還救急隊員消毒装置の提供を目的とする。
【課題を解決するための手段】
【０００６】
上記目的を達成するために、本発明の帰還救急隊員消毒装置は、帰還した救急隊員が入室する密封可能な消毒室と、該消毒室にオゾンガスを供給するオゾン発生手段と、上記救急隊員の滞在時間と上記消毒室内のオゾン濃度の積であるＣＴ値を演算可能なＣＴ値演算手段と、を備え、さらに、上記ＣＴ値が所定のＣＴ規定値となったことを上記救急隊員に伝達する消毒完了伝達手段を具備するものである。
【０００７】
また、帰還した救急隊員が入室する密封可能な消毒室と、該消毒室にオゾンガスを供給するオゾン発生手段と、上記救急隊員の滞在時間と上記消毒室内のオゾン濃度の積であるＣＴ値を演算可能なＣＴ値演算手段と、を備え、さらに、上記ＣＴ値が所定のＣＴ規定値となるまで、上記消毒室の出口扉をロック状態にする出口規制手段を具備するものである。
【０００８】
また、上記消毒室内に、オゾン水で手に装着した手袋の洗浄が可能な手洗い手段と、オゾン水で靴底の洗浄が可能な足洗い手段と、を設け、さらに、上記手洗い手段が所定時間作動したか否かを検知する手洗い確認手段と、上記足洗い手段が所定時間作動したか否かを検知する足洗い確認手段と、を備えたものである。また、上記手洗い手段の作動が確認され、かつ、上記足洗い手段の作動が確認され、さらに、上記ＣＴ値が上記ＣＴ規定値の場合に、上記オゾン発生手段から上記消毒室へのオゾンガスの供給を終了するように構成したものである。
【０００９】
また、上記オゾン発生手段を、着脱自在かつ持ち運び可能に設けたものである。
また、上記救急隊員が出動したことを検知する出動検知手段を設け、上記救急隊員が出動した場合に、該救急隊員の帰還前に、上記消毒室内にオゾンガスを供給して、上記消毒室内のオゾンガス濃度を規定濃度とするように構成したものである。
【発明の効果】
【００１０】
本発明に係る帰還救急隊員消毒装置によれば、帰還した救急隊員の全身を容易にオゾンによって消毒できる。オゾンによる消毒がＣＴ値によって明確になり、消毒作業を定量化して、確実に消毒を行うことができる。周囲や救急隊員自身への二次感染を確実に防止できる。消毒が確実に行なわれたことを容易に知ることができ、消毒作業時間の無駄を軽減できる。オゾンによる消毒なので、消毒薬品等の残留物や廃棄物が無く、周囲の環境に対して安全に使用できると共に、薬品等の管理保管の手間を軽減できる。
【図面の簡単な説明】
【００１１】
【図１】本発明の実施の形態を示す構成図である。
【図２】本発明を説明するフローチャート図である。
【発明を実施するための形態】
【００１２】
以下、図示の実施の形態に基づき本発明を詳説する。
本発明の帰還救急隊員消毒装置は、感染力の強い新型インフルエンザ等のウイルスや、病原性の菌等の微生物（病原体）に感染した又は感染の疑いのある要救護者を、救護し、現場から診断・治療施設等の医療機関へ搬送する者（以下救急隊員と呼ぶ）を、防護服着用状態で消毒する装置であって、図１に示すように、救急隊員が出動したことを検知する出動検知手段21と、帰還した救急隊員が入室する密封可能な消毒室１と、消毒室１にオゾンガスを供給するオゾン発生手段２と、消毒室１内（室内１ａ）の救急隊員の滞在時間と室内１ａのオゾン濃度の積であるＣＴ値を演算可能なＣＴ値演算手段３と、ＣＴ値が所定のＣＴ規定値になったことを救急隊員に伝達する消毒完了（ＣＴ規定値達成）伝達手段４と、を備えている。
また、消毒室１の出口扉50を所定のＣＴ規定値となるまでロック状態にする出口規制手段５と、消毒室１から救急隊員が退室したことを確認する退室確認手段６と、救急隊員の退室が許可されたことをガイドする案内手段19と、消毒室１に救急隊員が入室することを許可する入室許可手段９と、消毒室１に救急隊員が入室したことを確認する入室確認手段８と、消毒室１の入口扉70をロック・解除可能な入口規制手段７と、室内を換気する換気手段18と、を備えている。
【００１３】
さらに、オゾン水を生成可能なオゾン水生成手段10と、オゾン水生成手段10からのオゾン水で手に装着した手袋の洗浄が可能な手洗い手段11と、オゾン水生成手段10からのオゾン水で靴底の洗浄が可能な足洗い手段12と、手洗い手段11が所定時間作動したか否かを検知する手洗い確認手段13と、足洗い手段12が所定作業時間作動したか否かを検知する足洗い確認手段14と、救急隊員に手洗い手段11の使用と足洗い手段12の使用を指示する指示手段15と、を具備している。
【００１４】
そして、出動検知手段21、オゾン発生手段２、ＣＴ値演算手段３、消毒完了伝達手段４、出口規制手段５、退室確認手段６、入口規制手段７、入室確認手段８、入室許可手段９、オゾン水生成手段10、手洗い確認手段13、足洗い確認手段14、指示手段15、換気手段18、案内手段19、は作動状態を電気信号で発信可能であって、信号を互いに送受信可能なように、制御手段20に有線又は無線接続されている。
制御手段20は、ＣＰＵやＲＡＭ・ＲＯＭを有するコンピューターや、素子を有する回路基盤や、リレー回路やシーケンサ等を有する制御盤等である。なお、制御手段20をＣＴ値演算手段３に内蔵させても良い。
【００１５】
出動検知手段21は救急隊員が出動したことを出動信号として発信するように設けられている。例えば、出動検知手段21は、救急隊員の移動や要救護者の搬送が可能な救急車等の移動手段90の出発（発進）を検知するセンサ等の移動手段検知式の出動検知手段21ａや、保健所や消防庁等からの出動要請がある無線機や電話等の受信を検知する受信検知式の出動検知手段21ｂや、出動する救急隊員あるいは出動を確認した者に操作される確認ボタンが操作されたことを検知するスイッチ検知式の出動検知手段21ｃや、出動を音声で知らせるスピーカ等の近傍に設けられた音声センサ等の出動音検知式の出動検知手段21ｄ等である。
【００１６】
消毒室１は、消防署等の行政機関の建物内乃至その近傍に配設される。複数の帰還した救急隊員が入室可能な大きさに形成され、入口扉70及び出口扉50が閉じ、かつ、換気扇等の換気手段18の停止状態で密封（密閉）空間となる。
出口扉50近傍に、その出口扉50をロック状態と解除状態に切換可能な電子錠等の出口規制手段５を設けている。出口規制手段５は、演算されるＣＴ値が所定のＣＴ規定値となるまでロック状態を維持するものであって、出口扉50をロック状態にした場合に出口規制信号を発信し、解除状態にした場合に出口解除信号を発信する。
出口扉50の室外側近傍に、赤外線センサ等の退室確認手段６を設けている。退室確認手段６は、救急隊員が退室したことを検出すると退室信号を発信する。
【００１７】
入口扉70近傍に、その入口扉70をロック状態と解除状態に切換可能な電子錠等の入口規制手段７を設けている。入口規制手段７は、入口扉70をロック状態にした場合に入口規制信号を発信し、解除状態にした場合に入口解除信号を発信する。
入口扉70の室内１ａ側近傍に、赤外線センサ等の入室確認手段８を設けている。入室確認手段８は、救急隊員が入室したことを検出すると入室信号を発信する。
【００１８】
入口扉70の室外側近傍に、帰還救急隊員がオゾン防護マスクを装着しているか否かを確認して入室を許可する入室許可手段９を設けている。
入室許可手段９は、例えば、オゾン防護マスクを装着していることをその救急隊員に確認させる掲示板や鏡液晶画面等の確認用表示器と、救急隊員にオゾン防護マスクを装着していれば、操作するように設けられたボタン等の確認用入力器と、を有し、確認用入力器が操作されたことで入室を許可し許可信号を発信するように設けても良い。或いは、帰還救急隊員の顔を読み取る画像センサ等を設け、オゾン防護マスクの装着が確認されると、許可するもの。好ましくは、入室許可手段９を、要救護者の搬送を終え、防護服着用状態で帰還した救急隊員が、二次感染防止用マスクにオゾン水（又はアルコール）を噴霧させた消毒後に、オゾン防護マスクを装着したか否かを確認するように設ける。
【００１９】
室内１ａには、ＣＴ値演算手段３が配設されている。ＣＴ値演算手段３は、室内１ａのオゾン濃度を測定可能なセンサ等の測定部31と、室内１ａに救急隊員が滞在した時間（滞在時間）を計測可能なタイマ部32と、測定部31が測定したオゾン濃度とタイマ部32が計測した滞在時間とを積算してオゾン殺菌（除菌）効果のＣＴ値を演算処理可能な処理部34と、処理部34の演算結果を室内１ａの救急隊員に伝達可能なＬＥＤ等の表示器又はアラームやスピーカ等の音声出力機等の伝達部33と、を有している。
【００２０】
測定部31は、入室信号と入口規制信号と出口規制信号とが発信されると、オゾン濃度を測定するように設けている。タイマ部32は、入室信号と入口規制信号と出口規制信号とが発信されると、滞在時間の計測を開始する。また、処理部34は、入室信号と入口規制信号と出口規制信号が発信されるとＣＴ値を演算すると共に、ＣＴ規定値が達成された場合に達成信号を発信する。伝達部33は、達成信号が発信されると所定のＣＴ規定値になったことを室内１ａの救急隊員に伝達する。つまり、伝達部33が、消毒完了伝達手段４であり、ＣＴ値演算手段３に消毒完了伝達手段４を一体状に設けている。なお、出動信号が発信された場合や、オゾン発生手段２がオゾンの供給を開始した場合に、測定部31がオゾン濃度の測定を開始するように設けても良い。
【００２１】
また、室内１ａには、オゾン発生手段２が配設されている。
オゾン発生手段２は、出動信号が発信されるとオゾンガスの供給を開始する。そして、入室信号が発信される（帰還救急隊員が入室する）まで、室内１ａのオゾン濃度を規定濃度とするように作動する。例えば、オゾン発生手段２に室内１ａのオゾン濃度を測定可能な計測部を設け規定濃度とするように作動するように設ける。又は、ＣＴ値演算手段３と供働きして室内１ａのオゾン濃度を規定濃度とするように設ける。言い換えると、オゾン発生手段２を、ＣＴ値演算手段３が測定したオゾン濃度の値に基づいて室内１ａを規定濃度にするように設ける。
【００２２】
ここで、ＣＴ規定値は、オゾンによる十分な殺菌・消毒効果が得られる値であって、６０ｐｐｍ・ｍｉｎ以上が望ましい。６０ｐｐｍ・ｍｉｎ未満であると、十分な消毒・殺菌（除菌）効果を得られないからである。
また、規定濃度は、入室による外気との入れ換わりや救急隊員との接触による濃度の低下があっても、迅速にＣＴ規定値が達成可能なオゾン濃度であって、６ｐｐｍ以上が望ましい。６ｐｐｍ値未満であると、入室の際に外気との入れ換わりや救急隊員との接触による濃度低下で濃度が低くなり過ぎて、ＣＴ規定値となるまでに時間がかかるからである。
例えば、ＣＴ規定値を６０ｐｐｍ・ｍｉｎとすれば、入室による外気との入れ換わりや救急隊員との接触による濃度の低下により消毒室１内のオゾン濃度が６ｐｐｍから４ｐｐｍに低下しても、滞在時間が１５分でＣＴ規定値が達成する。つまり、１５分で防護服着用帰還救急隊員を消毒できる。
【００２３】
また、消毒室１を４５〜５０立方メータ、又は、４５〜６０立方メータに設けた場合に、規定濃度を２０分以内で達成できるように、オゾン発生手段２からのオゾン発生量を５００ｍｇ／ｈ以上３０００ｍｇ／ｈ以下、又は、５００ｍｇ／ｈ〜５０００ｍｇ／ｈに設定するのが好ましい。上記の下限値未満であると、救急隊員が帰還しているのに室内１ａが規定濃度になっておらず、迅速な消毒が行なえないからである。また、上限値を越えると、救急隊員が帰還するよりも規定濃度に達するのが早すぎて、規定濃度を維持するためにオゾン発生手段２の起動・休止の繰り返し等で無駄な電力を消費してしまうからである。
【００２４】
また、オゾン発生手段２は、軽量・小型に形成されると共に、消毒室１から着脱自在、かつ、持ち運び自在（消毒室１から持ち出し自在）に設けている。つまり、消毒室１から離間して、移動手段90内乃至その近傍に載置可能に設けている。オゾン発生量を調節可能に設けると共に、タイマ機能によって起動・停止を時間制御可能に設けている。
【００２５】
さらに、室内１ａには、オゾン水生成器等のオゾン水生成手段10を設けている。また、オゾン水が吐水する手洗い用蛇口11ａとシンク11ｂとを有する手洗い手段11を設けている。また、オゾン水が吐水する足洗い用蛇口12ａと足洗い場12ｂと足洗い用蛇口12ａに接続されたホース12ｃとを有する足洗い手段12を設けている。また、手洗い手段11の近傍に手洗い確認手段13を設け、足洗い手段12の近傍に足洗い確認手段14を設けている。
【００２６】
手洗い確認手段13は、手洗い用蛇口11ａが開操作されている時間、オゾン水生成手段10がオゾン水を供給している時間、吐水されている時間、の何れかによって、手洗い手段11が所定時間作動したか否かを検知し、所定時間の作動が確認されると手洗浄完了信号を発信する。
【００２７】
足洗い確認手段14は、足洗い用蛇口12ａが開操作されている時間、オゾン水生成手段10がオゾン水を供給している時間、ホース12ｃの使用時間、吐水されている時間、の何れかによって、足洗い手段12が所定時間作動したか否かを検知し、所定時間の作動が確認されると足洗浄完了信号を発信する。また、手洗い手段11の洗浄完了信号の発信によって、作動が許可されるように設けている。つまり、洗浄する順番が管理されている。
【００２８】
手洗い手段11及び足洗い手段12の近傍に、手に装着した手袋のオゾン水による洗浄（手袋洗浄）や靴底のオゾン水による洗浄（靴底洗浄）を促すランプや掲示板等の表示器又はスピーカ等の音声出力機等の指示手段15を設けている。
この指示手段15は、例えば、「手洗い手段11の蛇口11ａでオゾン水を吐水し、捨て水を15秒してから手袋洗浄を15秒以上行い、蛇口11ａをオゾン水で殺菌してから止水する。」といった内容を伝達する手洗浄指示手段15ａや、「足洗い手段12のホース12ｃからオゾン水を吐水し、捨て水を15秒以上してから靴底の洗浄を10秒以上行い、蛇口12ａ及びホース12ｃをオゾン水で殺菌してから止水する。」といった内容を伝達する足洗浄指示手段15ｂである。また、「入室後に、手袋洗浄を行い、その後、靴底洗浄を行なって、ＣＴ規定値が満たされるまで待機する。」といった内容を伝達するように設けても良い。
【００２９】
また、室内１ａには、救急隊員に退室が許可されたことを、ランプ等の表示器やスピーカ等の音声出力機で、室内１ａの救急隊員に伝達する案内手段19を設けている。
案内手段19は、出口解除信号が発信されると出口扉50が解除状態となったことを伝達する出口案内手段19ａを有している。また、手洗浄完了信号と足洗浄完了信号とが発信されるとオゾン水による消毒・殺菌洗浄が適正に行なわれたことを伝達する洗浄完了案内手段19ｂを有している。また、ＣＴ値演算手段３からの達成信号に基づいてオゾンガスによる消毒・殺菌が適正に行なわれたことを伝達するように設けると共にＣＴ規定値となったことを伝達する消毒完了伝達手段４とも言える消毒完了案内手段19ｃを有している。この３つの案内手段19ａ，19ｂ，19ｃの伝達によって退出許可を案内するものである。
【００３０】
なお、本発明に於て、公的機関とは、消防庁、警察庁、警視庁、海上保安庁、防衛省等のことを言う。また、救急隊員とは、公的（行政）機関に属すると共に、ウイルスや微生物等に感染した要救護者を搬送・救護するための訓練を行なった有資格者であって、救急救命士、消防士、レスキュー隊員、警察官、海上保安官、自衛官、等のことである。言い換えると、所定の施設から要救護者を搬送・救護するために出動し、その後、出動した施設に防護服着用状態で帰還する者（隊員）とも言う。また、消毒とは、ウイルスを不活性化したり、病原性の細菌（微生物）を殺菌して、そのウイルスや微生物がヒトに対して有害でなくなる程度にすることである。
【００３１】
なお、本発明は設計変更可能であって、例えば、オゾン発生手段２とＣＴ値演算手段３を一体状に設けても良い。オゾン発生手段２を消毒室１の室外から配管部材を介して室内１ａにオゾンガスを供給するように配設しても良い。オゾン水生成手段10、手洗い確認手段13、足洗い確認手段14、入室確認手段８、を室外に設けても良い。退出確認手段６を室内に設けても良い。換気手段18として冷暖房空調機器を設けてもよい。また、出口扉50と入口扉70をどちらか一方のみを設けて、出入り口共用扉としても良く、その際は、出口規制手段５と入口規制手段７の兼用が可能である。また、手洗い手段11及び足洗い手段12が、洗剤を具備するよう設けても良い。また、消毒完了伝達手段４を、演算中のＣＴ値が表示されるように設けても良い。手洗い手段11及び足洗い手段12を室内１ａに複数設けても良い。また、指示手段15は、電気的制御に関係なく、常時表示可能な指示板等でも良い。
【００３２】
上述した本発明の帰還救急隊員消毒装置の使用方法（作用）について説明する。
救急隊員が防護服を着て帰還してくるような二次感染の虞れがある出動要請があると、救急隊員は防護服を装備或いは着用して出動する。
図２のステップＳ１に於て、出動検知手段21が救急隊員の出動を検知すると、出動信号を発信する。ステップＳ２に於て、オゾン発生手段２は発信された出動信号に基づいて密封状の室内１ａにオゾンガスを供給する。
【００３３】
ステップＳ３に於て、オゾン発生手段２は、室内１ａを規定濃度にする。オゾン発生手段２の計測部、又は、ＣＴ値演算手段３の測定部31によって、室内１ａのオゾン濃度を測定し、規定濃度となるようにオゾン発生量を調整する。オゾン発生手段２は、救急隊員が帰還するまで、規定濃度以上を維持するように作動する。
【００３４】
ステップＳ４に於て、要救護者の搬送（任務）を終え、防護服着用状態で帰還した救急隊員は、入室許可手段９によって、オゾン防護マスクを装着しているか確認される。オゾン防護マスクの装着が確認されると入室が許可される。
【００３５】
ステップＳ５に於て、入室確認手段８によって帰還救急隊員の入室が確認されると、入室信号が発信される。ステップＳ６に於て、入口扉70が入口規制手段７にロックされ、出口扉50が出口規制手段５にロックされた室内ロック状態となる。帰還救急隊員を室内１ａに閉じ込めるように収容する。
【００３６】
室内ロック後に、ステップＳ61に於て、ＣＴ値演算手段３は、入室信号と入口規制信号と出口規制信号が発信されたことでＣＴ値の演算を開始する。ＣＴ値が所定のＣＴ規定値となると、ステップＳ62に進む。
ステップＳ62に於て、ＣＴ値演算手段３は達成信号を発信する。
ステップＳ63に於て、消毒完了伝達手段４（伝達部33及び消毒完了案内手段19ｃ）は達成信号が発信されると、ＣＴ規定値になったことを室内１ａの帰還救急隊員に伝達する。
【００３７】
また、室内ロック後に、手洗浄指示手段15ａ（15）は、入室信号と入口規制信号と出口規制信号が発信されたことにより室内１ａの帰還救急隊員に手袋洗浄をするように指示する。
ステップＳ64に於て、手洗い確認手段13は、手洗い手段11が所定時間作動したか否かを確認し、作動が確認されれば、ステップＳ65に進む。
ステップＳ65に於て、手洗い確認手段13から手洗浄完了信号が発信される。手洗浄完了信号によって足洗い手段12の作動（使用）が可能となる。足洗浄指示手段15ｂ（15）は手洗浄完了信号によって室内の帰還救急隊員に靴底を洗浄するように指示する。
【００３８】
ステップＳ66に於て、足洗い確認手段14は、足洗い手段12が所定時間作動したか否かを確認する。作動が確認されれば、ステップＳ67に進む。
ステップＳ67に於て、足洗い確認手段14から足洗浄完了信号が発信される。手洗浄完了信号と足洗浄完了信号の発信によって、洗浄完了案内手段19ｂは、洗浄が適正に行なわれたことを室内の帰還救急隊員に伝達する。
【００３９】
ステップＳ７に於て、手洗い手段11の作動が確認された手洗浄完了信号と、足洗い手段12の作動が確認された足洗浄完了信号と、ＣＴ値がＣＴ規定値となった達成信号と、が発信された場合に、ステップＳ８に進む。
ステップＳ８に於て、オゾン発生手段２はオゾンガスの供給を終了し、ＣＴ値演算手段３は測定や演算を終了し、出口規制手段５はロックを解除する。出口規制手段５は出口解除信号を発信する。
ステップＳ９に於て、出口解除信号が発信されたことで出口案内手段19ａが出口扉からの退出が可能になったことを室内１ａの帰還救急隊員に伝達する。
ステップＳ10に於て、達成信号と、手洗浄完了信号と、足洗浄完了信号と、出口解除信号と、が発信されたことで、案内手段19は、帰還救急隊員の退室が許可されたことを案内する。
【００４０】
ステップＳ11に於て、退室確認手段６は、救急隊員の退室が確認されれば、退室信号を発信する。
ステップＳ12に於て、退室信号の発信に基づいて換気手段18は起動し、室内１ａを換気する。
ステップＳ13に於て、所定換気時間経過すれば、制御手段20から換気停止信号が送信される。
ステップＳ14に於て、換気手段18が停止する。帰還救急隊員消毒装置の使用が終了される。なお、消毒室１には複数人を同時に消毒可能であるが説明を容易にするために、一人が入室して消毒された後、退室する場合で説明した。
【００４１】
以上のように、本発明は、帰還した救急隊員が入室する密封可能な消毒室１と、消毒室１にオゾンガスを供給するオゾン発生手段２と、救急隊員の滞在時間と消毒室１内のオゾン濃度の積であるＣＴ値を演算可能なＣＴ値演算手段３と、を備え、さらに、ＣＴ値が所定のＣＴ規定値となったことを救急隊員に伝達する消毒完了伝達手段４を具備するので、帰還した救急隊員の全身を容易にオゾンによって消毒できる。オゾンによる消毒がＣＴ値によって明確になり、消毒作業を定量化して、確実に消毒を行うことができる。周囲や救急隊員自身への二次感染を確実に防止できる。消毒が確実に行なわれたことを容易に知ることができ、消毒作業時間の無駄を軽減できる。オゾンによる消毒なので、薬品等の残留物や廃棄物が無く、周囲の環境に対して安全に使用できると共に、消毒薬品等の管理保管の手間を軽減できる。帰還救急隊員が装着していた、ヘルメット、ゴーグル、マスク、防護服、手袋等の再利用が可能になる。
【００４２】
また、帰還した救急隊員が入室する密封可能な消毒室１と、消毒室１にオゾンガスを供給するオゾン発生手段２と、救急隊員の滞在時間と消毒室１内のオゾン濃度の積であるＣＴ値を演算可能なＣＴ値演算手段３と、を備え、さらに、ＣＴ値が所定のＣＴ規定値となるまで、消毒室１の出口扉50をロック状態にする出口規制手段５を具備するので、帰還した救急隊員の全身を容易にオゾンによって消毒できる。オゾンによる消毒がＣＴ値によって明確になり、消毒作業を定量化して、確実に消毒を行うことができる。周囲や救急隊員自身への二次感染を確実に防止できる。消毒が確実に行なわれたことを容易に知ることができ、消毒作業時間の無駄を軽減できる。オゾンによる消毒なので、消毒薬品等の残留物や廃棄物が無く、周囲の環境に対して安全に使用できると共に、薬品等の管理保管の手間を軽減できる。帰還救急隊員が装着していた、ヘルメット、ゴーグル、マスク、防護服、手袋等の再利用が可能になる。
【００４３】
また、消毒室１内に、オゾン水で手に装着した手袋の洗浄が可能な手洗い手段11と、オゾン水で靴底の洗浄が可能な足洗い手段12と、を設け、さらに、手洗い手段11が所定時間作動したか否かを検知する手洗い確認手段13と、足洗い手段12が所定時間作動したか否かを検知する足洗い確認手段14と、を備えたので、オゾンガスに加えてオゾン水で消毒できる。全身の隅々まで確実に消毒でき、二次感染を防止できる。洗浄の手順等の管理を行なうことができる。オゾンガスによる全身の消毒と、オゾン水による細部の隠れた部分の消毒を１つの消毒室１内で、同時に効率よく行なうことができる。
【００４４】
また、手洗い手段11の作動が確認され、かつ、足洗い手段12の作動が確認され、さらに、ＣＴ値がＣＴ規定値の場合に、オゾン発生手段２から消毒室１へのオゾンガスの供給を終了するように構成したので、確実かつ適切な消毒を行え、消毒忘れ等の人為的ミスの発生を防止できる。
【００４５】
また、オゾン発生手段２を、着脱自在かつ持ち運び可能に設けたので、帰還した救急車等の移動手段90内や周囲、救護に使用した器材等をオゾンガスで消毒できる。
【００４６】
また、救急隊員が出動したことを検知する出動検知手段21を設け、救急隊員が出動した場合に、救急隊員の帰還前に、消毒室１内にオゾンガスを供給して、消毒室１内のオゾンガス濃度を規定濃度とするように構成したので、帰還後、即座に消毒を行なうことができる。消毒室１内の滞在時間を少なくでき効率よく消毒できる。
【符号の説明】
【００４７】
１  消毒室
２  オゾン発生手段
３  ＣＴ値演算手段
４  消毒完了伝達手段
５  出口規制手段  
11  手洗い手段
12  足洗い手段
13  手洗い確認手段
14  足洗い確認手段
21  出動検知手段
50  出口扉
【図１】
2010279429.tif 000003
【図２】
2010279429.tif 000004